(57)【要約】【課題】セグメントの異常消灯による異なる数字への変化を防止し、ガス使用料金の誤請求を防止する。【解決手段】液晶表示手段５における表示部は、セグメントａ６〜セグメントｇ１２の７つのセグメントと、各セグメントに配線される３本の信号線ａ１３、信号線ｂ１４、信号線ｃ１５から構成され、信号線ａ１３は、セグメントａ６、信号線ｂ１４は、セグメントｂ７、セグメントｆ１１及びセグメントｇ１２、信号線ｃ１５は、セグメントｃ８、セグメントｄ９及びセグメントｅ１０に接続する。【選択図】図２
2015004638.tif 000002
【特許請求の範囲】
【請求項１】
ガスの積算流量を表示する液晶表示手段を備えるガスメータにおいて、
前記液晶表示手段の数字を表す表示部は、７本のセグメントと、前記セグメントに接続される３本の信号線とを有し、前記信号線は、いずれか１本又は２本の前記信号線の断線時の表示部が、表示すべき数字と異なる数字を表示しないように配線したことを特徴とするガスメータ。
【請求項２】
ガスの積算流量を表示する液晶表示手段を備えるガスメータにおいて、
前記液晶表示手段の数字を表す表示部は、間隔を有して略平行に配置される三本の第１のセグメントと、隣り合う前記第１のセグメント間の前記第１のセグメント端部近傍位置に前記第１のセグメントと交差する方向に配置される四本の第２のセグメントと、前記第１のセグメントのうちの中央に位置するセグメントを除く１本のセグメントに接続される第１の信号線と、前記第１のセグメントの他の各セグメントと他の各セグメントに隣接する２本の第２のセグメントに接続される第２の信号線及び第３の信号線とを有することを特徴とするガスメータ。
【発明の詳細な説明】
【技術分野】
【０００１】
本発明は、ガス使用量やガスメータの情報等を表示する液晶表示手段を有するガスメータに関する。
【背景技術】
【０００２】
従来、この種のガスメータでは、ガスの流量を積算した積算値等を表示する表示装置として液晶表示手段が用いられ、ガス使用料金の徴収の際には、液晶表示手段の表示をもとに各家庭にガス使用料金の請求を行なっている。液晶表示手段は、点灯を切替えることにより０〜９までの数字を表示するための７つのセグメントを有する表示部を備え、表示部を複数並べて複数の数字を表示するように構成されている（例えば、特許文献１）。
【先行技術文献】
【特許文献】
【０００３】
【特許文献１】特開平４−１４２５８９号公報
【発明の概要】
【発明が解決しようとする課題】
【０００４】
しかしながら、前記従来の構成では、配線の断線、異物による電圧異常が生じた際に、セグメントが異常消灯し、本来表示される数字とは異なる表示になる場合があり、異なる表示が本来表示される数字とは異なる数字に変化した際には、ガス使用料金徴収の際に誤ったガス使用料金を請求する虞があった。
【０００５】
本発明は、前記従来の課題を解決するもので、ガス使用料金の誤請求を防止するガスメータを提供することを課題とする。
【課題を解決するための手段】
【０００６】
前記従来の課題を解決するために、本発明のガスメータは、ガスの積算流量を表示する液晶表示手段を備えるガスメータにおいて、前記液晶表示手段の数字を表す表示部は、７本のセグメントと、前記セグメントに接続される３本の信号線とを有し、前記信号線は、いずれか１本又は２本の前記信号線の断線時の表示部が、表示すべき数字と異なる数字を表示しないように配線するものである。
【０００７】
また、本発明のガスメータは、ガスの積算流量を表示する液晶表示手段を備えるガスメータにおいて、前記液晶表示手段の数字を表す表示部は、間隔を有して略平行に配置される三本の第１のセグメントと、隣り合う前記第１のセグメント間の前記第１のセグメント端部近傍位置に前記第１のセグメントと交差する方向に配置される四本の第２のセグメントと、前記第１のセグメントのうちの中央に位置するセグメントを除く１本のセグメントに接続される第１の信号線と、前記第１のセグメントの他の各セグメントと他の各セグメントに隣接する２本の第２のセグメントに接続される第２の信号線及び第３の信号線とを有するものである。
【発明の効果】
【０００８】
本発明のガスメータは、液晶表示手段におけるセグメントの異常消灯による異なる数字への変化を防止し、ガス使用料金の誤請求を防止することができる。
【図面の簡単な説明】
【０００９】
【図１】本発明の実施の形態１におけるガスメータの正面図
【図２】本発明の実施の形態１における表示部の配線図
【図３】本発明の実施の形態１における表示部の点灯状態を示す表示図
【発明を実施するための形態】
【００１０】
第１の発明は、ガスの積算流量を表示する液晶表示手段を備えるガスメータにおいて、前記液晶表示手段の数字を表す表示部は、７本のセグメントと、前記セグメントに接続される３本の信号線とを有し、前記信号線は、いずれか１本又は２本の前記信号線の断線時の表示部が、表示すべき数字と異なる数字を表示しないように配線するものである。
【００１１】
これによって、３本の信号線のいずれかに通電がなされなかった場合に、表示部が本来表示すべき数字と異なる数字を表示することがないので、液晶表示手段に表示されるガス使用量を見誤ることがなく、ガス使用料金の徴収の際に誤った積算量での請求を防止することができる。
【００１２】
第２の発明は、ガスの積算流量を表示する液晶表示手段を備えるガスメータにおいて、前記液晶表示手段の数字を表す表示部は、間隔を有して略平行に配置される三本の第１のセグメントと、隣り合う前記第１のセグメント間の前記第１のセグメント端部近傍位置に前記第１のセグメントと交差する方向に配置される四本の第２のセグメントと、前記第１のセグメントのうちの１本のセグメントに接続される第１の信号線と、前記第１のセグメントの他の各セグメントと他の各セグメントに隣接する２本の第２のセグメントに接続される第２の信号線と第３の信号線を有するものである。
【００１３】
これによって、３本の信号線のいずれかに通電がなされなかった場合に、表示部の表示が、本来表示すべき数字と異なる数字に変化することがなく、異常表示であることが容易に判別できるので、液晶表示手段に表示されるガス使用量を見誤ることがなく、ガス使用料金の徴収の際に誤った積算量での請求を防止することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態におけるガスメータを示す正面図である。ガスメータ１は、メータケース２と、メータケース２に設けられたガス入口管３と、メータケース２に設けられたガス出口管４と、メータケース２内を通過したガス流量の積算量を表示する液晶表示手段５とを備えている。液晶表示手段５は、複数桁の数字を表示するように、数字を表示する表示部を複数有している。
【００１６】
図２は、液晶表示手段５における数字を表示する表示部の信号線の配線図を示すものである。
【００１７】
図２において、液晶表示手段５における表示部は、数字を表示するための７つのセグメントａ６〜ｇ１２、各セグメントに配線される信号線ａ１３、信号線ｂ１４、信号線ｃ１５から構成される。液晶表示手段５には、小数点を表示する表示部も含めて８つの表示部が設けられており、ガスメータ１の設置時には、数字を表示する表示部は全て０が表示され、ガスの使用量に応じて積算量を表示する。
【００１８】
信号線ａ１３は、セグメントａ６、信号線ｂ１４は、セグメントｂ７、セグメントｆ１１及びセグメントｇ１２、信号線ｃ１５は、セグメントｃ８、セグメントｄ９及びセグメント１０ｅに接続されている。
【００１９】
図３は、信号線ａ１３、信号線ｂ１４、信号線ｃ１５に単独で断線が生じた際と、２本の断線が生じた際の表示部の表示状態を示すものである。
【００２０】
以上のように構成された液晶表示手段について、以下その動作、作用を説明する。
【００２１】
図３における表示部の表示は、（ａ）が正常状態の表示を示し、（ｂ）が信号線ａ１３の断線状態の表示、（ｃ）が信号線ｂ１４の断線状態の表示、（ｄ）が信号線ｃ１５の断線状態の表示を示している。また、（ｅ）が信号線ａ１３と信号線ｂ１４の断線状態の表示、（ｆ）が信号線ｂ１４と信号線ｃ１５の断線状態の表示、（ｇ）が信号線ａ１３と信号線ｃ１５の断線状態の表示を示している。
【００２２】
信号線ａ１３、信号線ｂ１４、信号線ｃ１５は、断線、あるいは、電圧異常等によりセグメントａ６〜セグメントｇ１２が異常消灯する場合があり、本来表示する数字とは異なる数字に変化する虞がある。
【００２３】
本実施の形態では、図３に示されるように、信号線ａ１３、信号線ｂ１４、信号線ｃ１５のいずれかに通電がなされなかった場合には、表示部の表示が、本来表示すべき数字と異なる数字に変化することがなく、異常表示であることが容易に判別できる。
【００２４】
これにより、液晶表示手段５に表示されるガス使用量を見誤ることがなく、ガス使用料金の徴収の際に誤った積算量での請求を防止することができる。
【００２５】
なお、本発明は、図３に示す上記実施の形態に限定されるものではなく、信号線ａ１３は、セグメントａ６、セグメントｂ７及びセグメントｆ１１、信号線ｂ１４は、セグメントｇ１２、セグメントｃ８及びセグメントｅ１０、信号線ｃ１５は、セグメントｄ９に接続するようにしてもよい。
【００２６】
以上の通り、本発明の液晶表示手段５の表示部は、７つのセグメントを有するものであり、間隔を有して略平行に配置される三本の第１のセグメントａ６、ｄ９、ｇ１２と、第１のセグメントの間の第１のセグメントの端部近傍位置に第１のセグメントと交差する方向に配置される四本の第２のセグメントｂ７、ｃ８、ｅ１０、ｆ１１とを有している。三本の第１のセグメントａ６、ｄ９、ｇ１２のうちの中央に位置するセグメントｇ１２以外のセグメントａ６、ｄ９のいずれかに第１の信号線が接続され、残りの２本の第１のセグメントと、この２本の第１のセグメントと２本の第１のセグメントに隣接する２本の第２のセグメントにそれぞれ第２の信号線と第３の信号線を接続するものである。
【００２７】
この構成により、信号線のいずれか１本、あるいは２本が断線した場合に、表示部が、本来表示すべき数字と異なる数字を表示しないように配線することができるので、表示部の表示が、本来表示すべき数字と異なる数字に変化することがなく、異常表示であることが容易に判別できる。
【産業上の利用可能性】
【００２８】
以上のように、本発明にかかるガスメータは、ガスの積算流量を表示する７セグメントの異常消灯による異なる数字への変化を防止し、ガス使用料金の誤請求を防止することが可能となるので、ガス需要者の各家庭に設けられて各戸のガス使用量を計測表示するガスメータに適用できるものである。
【符号の説明】
【００２９】
１  ガスメータ
２  メータケース
３  ガス入口管
４  ガス出口管
５  液晶表示手段
６  セグメントａ
７  セグメントｂ
８  セグメントｃ
９  セグメントｄ
１０  セグメントｅ
１１  セグメントｆ
１２  セグメントｇ
１３  信号線ａ
１４  信号線ｂ
１５  信号線ｃ
【図１】
2015004638.tif 000003
【図２】
2015004638.tif 000004
【図３】
2015004638.tif 000005